(57)【要約】【課題】露出中であることをユーザに対して直感的にわかりやすく認識させる。【解決手段】被写体を撮像して画像データを生成する撮像部と、視野領域の状態を検知するセンサ部と、画像を含む情報を表示する表示部と、レリーズ信号の入力を受け付ける入力部と、撮像中の画像の画像データを所定間隔で更新しながら一時的に記憶するとともに、レリーズ信号の入力に応じて撮影した画像の画像データを記憶する記憶部と、記憶部が一時的に記憶している画像データを用いることによって複数の合成画像を生成する合成画像生成部と、レリーズ信号が入力された時点におけるセンサ部の検知結果に基づいて撮像部における露出時間を算出し、この露出時間に応じて露出を制御する露出制御部と、露出時間が所定時間を超える場合、表示部に対し、合成画像生成部が生成した複数の合成画像を、露出時間が経過するまで所定の順序で表示させる制御を行う表示制御部と、を備える。【選択図】        図１
2010154101.tif 000002
【特許請求の範囲】
【請求項１】
所定の視野領域に存在する被写体を撮像して電子的な画像データを生成する撮像部と、
明るさを含む前記視野領域の状態を検知するセンサ部と、
前記画像データに対応する画像を含む情報を表示する表示部と、
前記撮像部による撮影を指示するレリーズ信号の入力を受け付ける入力部と、
前記撮像部が撮像している画像の画像データを所定の時間間隔で更新しながら一時的に記憶するとともに、前記撮像部が前記レリーズ信号の入力に応じて撮影した画像の画像データを記憶する記憶部と、
前記記憶部が一時的に記憶している画像データを用いることによって複数の合成画像を生成する合成画像生成部と、
前記レリーズ信号が入力された時点における前記センサ部の検知結果に基づいて前記撮像部における露出時間を算出し、この算出した露出時間に応じて前記撮像部における露出を制御する露出制御部と、
前記露出時間が所定時間を超える場合、前記表示部に対し、前記合成画像生成部が生成した複数の合成画像を、前記露出時間が経過するまで所定の順序で表示させる制御を行う表示制御部と、
を備えたことを特徴とする撮像装置。
【請求項２】
前記表示制御部は、
前記表示部が表示する画像の面積を時間の経過とともに徐々に増やしていく制御を行うことを特徴とする請求項１に記載の撮像装置。
【請求項３】
前記記憶部が一時的に記憶する複数の画像データのいずれかに対応する画像を分割することによって複数の分割画像を生成する分割画像生成部をさらに備え、
前記合成画像生成部は、
前記分割画像生成部が生成した複数の分割画像を組み合わせることによって複数の合成画像を生成することを特徴とする請求項１に記載の撮像装置。
【請求項４】
当該撮像装置の動きの有無を判定する動き判定部をさらに備え、
前記動き判定部が当該撮像装置に動きがあると判定した場合、
前記合成画像生成部は、前記表示部で表示している合成画像の配置を乱した乱れ画像を生成し、
前記表示制御部は、前記表示部に対し、前記合成画像生成部が生成した乱れ画像を表示させる制御を行うことを特徴とする請求項３に記載の撮像装置。
【請求項５】
前記合成画像生成部は、
前記記憶部が一時的に記憶する複数の画像データにそれぞれ対応する複数の画像をデータ生成順に重ねていき、重ねた枚数に応じて得られる複数の合成画像を生成し、
前記表示制御部は、
前記表示部に対し、重ねた枚数が少ない合成画像から順に表示させる制御を行うことを特徴とする請求項１に記載の撮像装置。
【請求項６】
当該撮像装置の動きの有無を判定する動き判定部をさらに備え、
前記合成画像生成部は、
前記記憶部が一時的に記憶する複数の画像データのうち前記動き判定部が当該撮像装置に動きがないと判定したタイミングで前記撮像部が撮像した画像を用いることを特徴とする請求項５に記載の撮像装置。
【請求項７】
所定の視野領域に存在する被写体を撮像し、この撮像した画像に対応する電子的な画像データを生成するとともに該画像を表示する撮影装置であって、撮像中の画像の画像データを所定の時間間隔で更新しながら一時的に記憶するとともに、撮影を指示するレリーズ信号の入力に応じて撮影した画像の画像データを記憶する記憶部とを備えた撮像装置に、
前記記憶部が一時的に記憶している画像データを用いることによって複数の合成画像を生成する合成画像生成ステップ、
前記レリーズ信号が入力された場合、この入力がなされた時点で当該撮像装置が検知した前記視野領域の状態に基づいて撮影時の露出時間を算出する露出時間算出ステップ、
前記露出時間算出ステップで算出した露出時間が所定時間を超える場合、前記露出時間に応じた露出動作を行う間に前記合成画像生成ステップで生成した複数の合成画像を所定の順序で表示する合成画像表示ステップ、
を実行させることを特徴とする撮像装置用プログラム。
【発明の詳細な説明】
【技術分野】
【０００１】
本発明は、画像を撮像して該画像の電子的な画像データを生成する撮像装置および撮像装置用プログラムに関する。
【背景技術】
【０００２】
画像を撮像して該画像の電子的な画像データを生成するデジタルカメラ等の撮像装置では、露出やピントの制御を自動的に行うための様々な技術が知られている。例えば、画像に含まれるノイズを適切に除去することによって感度を向上させる技術が知られている。この技術によれば、明かりの少ない夜間の屋外の風景を撮影するような場合であっても、露出を適当に調整することによって鮮明な撮影画像を得ることができる。
【０００３】
一般に、夜間の屋外の風景のように暗い視野領域を撮影する場合には、長時間にわたって露出を行わないと像の明暗を検出することができない。このため、露出を行っている間、撮像装置の表示部で何も表示されないと、不慣れな撮影者は何が起こっているのかを認識することができず、故障かと思って撮像装置を動かしてしまい、結果的にブレた画像を撮影してしまうという問題があった。このような撮影の失敗を防止するための技術として、従来より、露出時間に関する情報を表示部で表示することによって露出動作中であることを撮影者に報知する技術が知られている（例えば、特許文献１および２を参照）。このうち、特許文献１では、長秒時である場合に表示部でシャッタ秒時の経過時間を表示する技術が開示されている。また、特許文献２では、露出の残り時間または経過時間を様々な態様で表示する技術が開示されている。
【０００４】
【特許文献１】特開平１１−２４１５４号公報
【特許文献２】特開２００２−３３５４２７号公報
【発明の開示】
【発明が解決しようとする課題】
【０００５】
しかしながら、上記特許文献１および２に記載された従来技術では、露出の経過時間や残り時間が表示部で表示されるとはいえ、実際に撮影している画像とは全く異なる画像が表示されるため、不慣れな撮影者はけっきょく何が起こっているのかを認識することができず、撮像装置を動かしてしまっていた。
【０００６】
本発明は、上記に鑑みてなされたものであって、露出中であることを撮影者に対して直感的にわかりやすく認識させることができる撮像装置および撮像装置用プログラムを提供することを目的とする。
【課題を解決するための手段】
【０００７】
上述した課題を解決し、目的を達成するために、本発明に係る撮像装置は、所定の視野領域に存在する被写体を撮像して電子的な画像データを生成する撮像部と、明るさを含む前記視野領域の状態を検知するセンサ部と、前記画像データに対応する画像を含む情報を表示する表示部と、前記撮像部による撮影を指示するレリーズ信号の入力を受け付ける入力部と、前記撮像部が撮像している画像の画像データを所定の時間間隔で更新しながら一時的に記憶するとともに、前記撮像部が前記レリーズ信号の入力に応じて撮影した画像の画像データを記憶する記憶部と、前記記憶部が一時的に記憶している画像データを用いることによって複数の合成画像を生成する合成画像生成部と、前記レリーズ信号が入力された時点における前記センサ部の検知結果に基づいて前記撮像部における露出時間を算出し、この算出した露出時間に応じて前記撮像部における露出を制御する露出制御部と、前記露出時間が所定時間を超える場合、前記表示部に対し、前記合成画像生成部が生成した複数の合成画像を、前記露出時間が経過するまで所定の順序で表示させる制御を行う表示制御部と、を備えたことを特徴とする。
【０００８】
また、本発明に係る撮像装置は、上記発明において、前記表示制御部は、前記表示部が表示する画像の面積を時間の経過とともに徐々に増やしていく制御を行うことを特徴とする。
【０００９】
また、本発明に係る撮像装置は、上記発明において、前記記憶部が一時的に記憶する複数の画像データのいずれかに対応する画像を分割することによって複数の分割画像を生成する分割画像生成部をさらに備え、前記合成画像生成部は、前記分割画像生成部が生成した複数の分割画像を組み合わせることによって複数の合成画像を生成することを特徴とする。
【００１０】
また、本発明に係る撮像装置は、上記発明において、当該撮像装置の動きの有無を判定する動き判定部をさらに備え、前記動き判定部が当該撮像装置に動きがあると判定した場合、前記合成画像生成部は、前記表示部で表示している合成画像の配置を乱した乱れ画像を生成し、前記表示制御部は、前記表示部に対し、前記合成画像生成部が生成した乱れ画像を表示させる制御を行うことを特徴とする。
【００１１】
また、本発明に係る撮像装置は、上記発明において、前記合成画像生成部は、前記記憶部が一時的に記憶する複数の画像データにそれぞれ対応する複数の画像をデータ生成順に重ねていき、重ねた枚数に応じて得られる複数の合成画像を生成し、前記表示制御部は、前記表示部に対し、重ねた枚数が少ない合成画像から順に表示させる制御を行うことを特徴とする。
【００１２】
また、本発明に係る撮像装置は、上記発明において、当該撮像装置の動きの有無を判定する動き判定部をさらに備え、前記合成画像生成部は、前記記憶部が一時的に記憶する複数の画像データのうち前記動き判定部が当該撮像装置に動きがないと判定したタイミングで前記撮像部が撮像した画像を用いることを特徴とする。
【００１３】
また、本発明に係る撮像装置用プログラムは、所定の視野領域に存在する被写体を撮像し、この撮像した画像に対応する電子的な画像データを生成するとともに該画像を表示する撮影装置であって、撮像中の画像の画像データを所定の時間間隔で更新しながら一時的に記憶するとともに、撮影を指示するレリーズ信号の入力に応じて撮影した画像の画像データを記憶する記憶部とを備えた撮像装置に、前記記憶部が一時的に記憶している画像データを用いることによって複数の合成画像を生成する合成画像生成ステップ、前記レリーズ信号が入力された場合、この入力がなされた時点で当該撮像装置が検知した前記視野領域の状態に基づいて撮影時の露出時間を算出する露出時間算出ステップ、前記露出時間算出ステップで算出した露出時間が所定時間を超える場合、前記露出時間に応じた露出動作を行う間に前記合成画像生成ステップで生成した複数の合成画像を所定の順序で表示する合成画像表示ステップ、を実行させることを特徴とする。
【発明の効果】
【００１４】
本発明によれば、表示部は、撮像部が露出を行う間、記憶部に一時的に記憶されている画像を用いることによって各々合成される複数の合成画像を所定の順序で表示するため、露出中であることをユーザに対して直感的にわかりやすく認識させることが可能となる。
【発明を実施するための最良の形態】
【００１５】
以下、添付図面を参照して本発明を実施するための最良の形態（以後、「実施の形態」と称する）を説明する。
【００１６】
（実施の形態１）
図１は、本発明の実施の形態１に係る撮像装置の構成を示すブロック図である。同図に示す撮像装置１は、所定の視野領域に含まれる被写体からの光を集光し、この集光した光を光電変換することによって得られる画像信号からデジタルの画像データを生成する撮像部２と、撮像部２が生成した画像データに対して画像処理を施す画像処理部３と、画像処理部３で処理が施された画像データに対応する画像を表示する表示部４と、撮像装置１の操作信号等の入力を受け付ける入力部５と、明るさを含む撮像部２の視野領域の状態を検知するセンサ部６と、撮像装置１の動きの有無を判定する動き判定部７と、撮影日時の判定機能やタイマー機能を有する時計８と、撮像部２が撮像している画像（スルー画像）の画像データを所定の時間間隔で更新しながら一時的に記憶するとともに、撮像部２が撮影した画像の画像データを記憶する記憶部９と、センサ部６の検知結果や入力部５から入力された操作信号に応じて撮像装置１の動作を制御する制御部１０と、を備える。
【００１７】
撮像部２は、所定の視野領域にある被写体からの光を集光する撮影レンズ２１と、撮影レンズ２１が集光した光の入射量を調整する絞り２２と、レリーズ入力に応じて動作するシャッタ２３と、絞り２２およびシャッタ２３を通過した入射光を受光して電気信号に変換するＣＣＤ（Charge Coupled Device）等の撮像素子２４と、撮像素子２４から出力されるアナログ信号に対して増幅やホワイトバランスを含む各種信号処理を施した後、Ａ／Ｄ変換することによってデジタルの画像データを生成する信号処理部２５とを有する。このうち、撮影レンズ２１は、一または複数のレンズによって構成される光学系であり、レンズ駆動部１１によって駆動される。また、絞り２２は絞り駆動部１２によって駆動され、シャッタ２３はシャッタ駆動部１３によって駆動される。
【００１８】
画像処理部３は、記憶部９が一時的に記憶する画像データのうち最新の画像データに対応するスルー画像を分割することによって複数の分割画像を生成する分割画像生成部３１と、分割画像生成部３１が生成した複数の分割画像の一部または全部を適宜組み合わせることによって複数の合成画像を生成する合成画像生成部３２と、を有する。
【００１９】
表示部４は、液晶または有機ＥＬ等からなる表示パネルを用いて実現され、画像データのほかに撮像装置１の操作情報や撮影に関する情報を適宜表示する。
【００２０】
入力部５は、撮像装置１の電源ボタン、撮像指示を与えるレリーズ信号を入力するレリーズボタン、撮像装置１で設定可能な各種動作モードの切替を行うモード切替ボタン、画像データの再生や編集の指示を含む制御ボタンなどを有する。また、入力部５として表示部４にタッチパネルを積層することにより、ユーザが表示部４の上で操作信号の入力を行えるようにしてもよい。
【００２１】
記憶部９は、撮像部２が撮像しているスルー画像の画像データを所定の時間間隔で更新しながら一時的に記憶するスルー画像記憶部９１と、入力部５によって入力されたレリーズ信号に応じて撮影した画像の画像データを記憶する撮影画像記憶部９２と、本実施の形態１に係る撮像装置用プログラムを含み、撮像装置１が実行する各種プログラムを記憶するプログラム記憶部９３とを有する。スルー画像記憶部９１は、３〜５枚程度の画像データを常時記憶しており、新しい画像データが生成されるたびに、最も古い画像データが削除される。記憶部９は、撮像装置１の内部に固定的に設けられるフラッシュメモリやＤＲＡＭ等の半導体メモリを用いて実現される。なお、記憶部９が、外部から装着されるメモリカード等のコンピュータ読取可能な記録媒体に対して情報を記録する一方、記録媒体が記録する情報を読み出す記録媒体インターフェースとしての機能を有していてもよい。
【００２２】
制御部１０は、撮像部２における露出動作を制御する露出制御部１０１と、表示部４における表示動作を制御する表示制御部１０２とを有する。露出制御部１０１は、入力部５によって入力された操作指示やセンサ部６の検出結果に基づいて露出時間を算出するとともに、露光時間（シャッタースピード）や絞り、感度を調整する機能を有する。表示制御部１０２は、露出制御部１０１が算出した露出時間が所定時間を超える場合、表示部４に対し、合成画像生成部３２が生成した複数の合成画像を、露出時間が経過するまで所定の順序で表示させる制御を行う。以上の機能構成を有する制御部１０は、ＭＰＵ（Micro Processing Unit）等を用いて実現され、制御対象である撮像装置１の各構成部位とバスラインを介して接続されている。
【００２３】
図２は、以上の構成を有する撮像装置１が撮影モードに設定されている時に行う処理の概要を示すフローチャートである。まず、表示部４は、表示制御部１０２の制御のもと、撮像部２が撮像しているスルー画像を表示する（ステップＳ１）。続いて、制御部１０はスルー画像に対してピントの調整を行う（ステップＳ２）。
【００２４】
撮像装置１は、ピントの調整が済んだスルー画像の画像データをスルー画像記憶部９１に書き込んで一時的に記録する（ステップＳ３）。
【００２５】
この後の処理は、入力部５の一部をなすレリーズボタンが押下されることによってレリーズ信号が入力されたか否かに応じて異なる。レリーズ信号が入力されない場合（ステップＳ４：Ｎｏ）、撮像装置１は後述するステップＳ１３へ進む。一方、ステップＳ４においてレリーズ信号が入力された場合（ステップＳ４：Ｙｅｓ）、露出制御部１０１は、センサ部６の検知結果に基づいて露出動作を行う露出時間ｔを算出する（ステップＳ５）。
【００２６】
ステップＳ５で露出制御部１０１が算出した露出時間ｔが所定時間ｔ0よりも大きい場合（ステップＳ６：Ｙｅｓ）、露出制御部１０１は本実施の形態１に特徴的な処理（ステップＳ７〜Ｓ１０）を行う。一方、ステップＳ５で露出制御部１０１が算出した露出時間ｔが所定時間ｔ0以下である場合（ステップＳ６：Ｎｏ）、露出制御部１０１は通常の露出制御を行って画像を撮影（ステップＳ１４）し、ステップＳ１１へ進む。ここでの所定時間ｔ0は、例えば１秒程度である。
【００２７】
ステップＳ７以降の処理を説明する。ステップＳ７において、撮像部２は、露出制御部１０１の制御のもとで露出を開始する（ステップＳ７）。その後、撮像装置１は、表示部４を介して撮像装置１が露出状態にあることを報知する（ステップＳ８）。
【００２８】
図３は、ステップＳ８の露出状態報知処理の詳細を示すフローチャートである。図３において、表示制御部１０２は、露出時間ｔを所定の時間間隔Δｔで割った商ｔ／Δｔを超えない最大の整数（［ｔ／Δｔ］と記載する）を算出し、この算出結果をパラメータｍの値とする（ステップＳ８１）。ここでの時間間隔Δｔは、例えば０．５秒程度である。
【００２９】
続いて、分割画像生成部３１は、スルー画像記憶部９１から最新スルー画像Ｐ0を読み出し、この読み出した最新スルー画像Ｐ0をｍ等分することによってｍ個の分割画像Ｐ1、Ｐ2、…、Ｐmを生成する（ステップＳ８２）。図４は、分割画像生成部３１が行う処理の概要を示す図である。図４に示す最新スルー画像Ｐ0は、夜の海に浮かぶ船を月明かりの下で撮像したものである。図４において、分割画像生成部３１は、最新スルー画像Ｐ0を９分割している。すなわち、この場合のパラメータｍの値は９である。
【００３０】
続いて、合成画像生成部３２は、分割画像生成部３１が生成したｍ個の分割画像Ｐ1、Ｐ2、…、Ｐmを用いることによってｍ種類の合成画像Ｑ1、Ｑ2、…、Ｑmを生成する（ステップＳ８３）。図５−１〜図５−９は、ｍ＝９の場合の合成画像Ｑk（ｋ＝１，２，…，９）の表示例を示す図である。図５−１〜図５−９において、合成画像Ｑkは、ｋ枚の分割画像Ｐ1，…，Ｐkを分割前の位置に配置して合成した画像である。このうち、合成画像Ｑ1は分割画像Ｐ1と同じである。なお、合成画像を生成する際の分割画像Ｐ1，…，Ｐkの組み合わせは適宜変更することができる。また、各分割画像の配置位置は分割前の位置に限られるわけではない。
【００３１】
なお、スルー画像は露出の不十分な画像であるため、画像の陰影が正しく表示できない可能性がある。そこで、ステップＳ８２〜Ｓ８３の間の適当なタイミングで、画像処理部３がスルー画像を増感する処理を行うようにすればより好ましい。
【００３２】
ステップＳ８３の後、表示制御部１０２は、繰り返し処理をカウントする変数ｎを１に初期化し（ステップＳ８４）、合成画像生成部３２が生成した合成画像Ｑnを表示部４で表示させる制御を行う（ステップＳ８５）。
【００３３】
表示部４における合成画像Ｑnの表示時間がΔｔに達した場合（ステップＳ８６：Ｙｅｓ）、表示制御部１０２は変数ｎを１増やす（ステップＳ８７）。新たな変数ｎがｍ＋１と等しければ（ステップＳ８８：Ｙｅｓ），撮像装置１は露出状態検知処理を終了してメインルーチンに戻り、ステップＳ９へ進む。一方、新たな変数ｎがｍ＋１と等しくなければ（ステップＳ８８：Ｎｏ）、撮像装置１はステップＳ８５へ戻る。
【００３４】
図６は、ステップＳ８６〜Ｓ８９を繰り返す際の表示部４における表示内容の変化を示す図である。図６に示すように、表示部４では、時間間隔Δｔで表示内容が変化していき、表示部４における画像の表示面積が徐々に増えていく。このような表示部４における画像の表示態様の変化を見た撮影者は、撮像装置１が露出状態にあることを直感的に認識することができる。したがって、長時間の露出に不慣れな撮影者であっても、露出が正しく行われているという確証を得ることができ、露出中に撮像装置１をむやみに動かさなくなる。なお、図６における合成画像の表示順はあくまでも一例に過ぎず、その表示順序は適宜変更することができる。
【００３５】
次に、ステップＳ８６において、表示部４における合成画像Ｑnの表示時間がΔｔに達していない場合（ステップＳ８６：Ｎｏ）を説明する。この場合、動き判定部７は、撮像装置１の動きの有無を判定する（ステップＳ８９）。動き判定部７が撮像装置１に動きがないと判定した場合（ステップＳ９０：Ｎｏ）、撮像装置１はステップＳ８５へ戻る。これに対し、動き判定部７が撮像装置１に動きがあると判定した場合（ステップＳ９０：Ｙｅｓ）、合成画像生成部３２は表示中の合成画像Ｑnを構成する分割画像Ｐ1，Ｐ2，・・・，Ｐnの配置を乱した乱れ画像Ｑn'を生成する（ステップＳ９１）。その後、表示部４は、表示制御部１０２の制御のもと、合成画像Ｑnに代えて乱れ画像Ｑn'を表示する（ステップＳ９２）。ステップＳ９２の後、撮像装置１はメインルーチンに戻ってステップＳ９へ進む。
【００３６】
図７は、乱れ画像Ｑn'の表示例を示す図である。図７においては、ｍ＝９であってｎ＝７の時に合成画像生成部３２が生成した乱れ画像Ｑ7'を示している。このようにして、動き判定部７が撮像装置１の動きを検知した場合、表示部４が表示中の合成画像Ｑnに対応する乱れ画像Ｑn'を表示することにより、撮影者は、露出中にエラーが発生したことを即座に認識することができる。なお、表示部４の乱れ画像の表示態様は上述したものに限られるわけではない。例えば、図８に示すように、乱れ画像Ｑ7'を表示してから所定時間経過した後、乱れ方がさらに大きい第２の乱れ画像Ｑ7''を表示し、最後に何も表示しなくなるようにしてもよい。
【００３７】
次に、メインルーチンにおけるステップＳ９以降の処理を説明する。ステップＳ９において、撮像装置１は、露出開始から時間ｔ経過していれば（ステップＳ９：Ｙｅｓ）、露出を終了する（ステップＳ１０）。一方、撮像装置１は、露出開始から時間ｔ経過していなければ（ステップＳ９：Ｎｏ）、ステップＳ９を繰り返す。
【００３８】
その後、制御部１０は、撮像部２によって生成され、画像処理部３によって画像処理が施された画像データに対し、時計８の出力を参照してデータ生成日時等の情報を付加し、撮影画像記憶部９２に記録する（ステップＳ１１）。また、表示部４は、表示制御部１０２の制御のもと、撮影した画像を表示する（ステップＳ１２）。ステップＳ１２で表示する画像は、最新スルー画像Ｐ0と類似した構図を有しているが、より鮮明な画像である。
【００３９】
続いて、入力部５によって撮影の終了指示が入力された場合（ステップＳ１３：Ｙｅｓ）、撮像装置１は一連の処理を終了する。一方、入力部５によって撮影の終了指示が入力されない場合（ステップＳ１３：Ｎｏ）、撮像装置１はステップＳ１に戻る。
【００４０】
以上説明した本発明の実施の形態１によれば、表示部４は、撮像部２が露出を行う間、スルー画像記憶部９１に一時的に記憶されているスルー画像を用いることによって各々合成される複数の合成画像Ｑ1、Ｑ2、…、Ｑmを所定の順序で表示するため、露出中であることをユーザに対して直感的にわかりやすく認識させることが可能となる。その結果、暗い場所を撮影する場合のように、露出時間が長くて撮像装置１を動かしてしまいやすい状況下においても、撮影の失敗を防止して鮮明な写真を撮影することができるようになる。
【００４１】
（実施の形態２）
本発明の実施の形態２は、露出状態報知処理が、上述した実施の形態１と異なる。図９は、本実施の形態２における露出状態報知処理（図２のステップＳ８）の詳細を示すフローチャートである。
【００４２】
図９において、表示制御部１０２は、スルー画像記憶部９１で記憶しているスルー画像のうちブレがないスルー画像の枚数Ｎを検出し（ステップＳ１８１）、露出時間ｔをＮで割った商ｔ／Ｎを時間のパラメータｔNとおき（ステップＳ１８２）、繰り返し処理をカウントする変数ｎを１と初期化する（ステップＳ１８３）。ここでのＮの値は、たかだか１０程度である。
【００４３】
この後、合成画像生成部３２は、Ｎ枚のブレのないスルー画像のうちデータ生成時間が古い順にｎ枚（≦Ｎ）のスルー画像を重ねることによって合成スルー画像Ｔnを生成する（ステップＳ１８４）。続いて、表示部４は、合成画像生成部３２が生成した合成スルー画像Ｔnを表示する（ステップＳ１８５）。
【００４４】
表示部４における合成スルー画像Ｔ1の表示時間がｔNに達した場合（ステップＳ１８６：Ｙｅｓ）、表示制御部１０２は変数ｎを１増やす（ステップＳ１８７）。新たな変数ｎがＮ＋１と等しければ（ステップＳ１８８：Ｙｅｓ），撮像装置１は露出状態報知処理を終了してメインルーチンに戻り、図２のステップＳ９へ進む。一方、新たな変数ｎがＮ＋１と等しくなければ（ステップＳ１８８：Ｎｏ）、撮像装置１はステップＳ１８４へ戻る。
【００４５】
図１０は、ステップＳ１８４〜Ｓ１８８を繰り返す際の表示部４における表示内容の変化例を示す図であり、Ｎ＝５である場合を示している。同図に示す合成スルー画像Ｔn（ｎ＝１，２，…，５）は、時間的に後に表示されるものほど増感されて画像がより鮮明になっている。このような表示部４における画像の表示態様の変化を見た撮影者は、撮像装置１が露出状態にあることを直感的に認識することができる。したがって、長時間の露出に不慣れな撮影者であっても、露出が正しく行われているという確証を得ることができ、露出中に撮像装置１をむやみに動かさなくなる。
【００４６】
次に、ステップＳ１８６において、表示部４における合成スルー画像Ｔnの表示時間がｔNに達していない場合（ステップＳ１８６：Ｎｏ）を説明する。この場合、動き判定部７は、撮像装置１の動きの有無を判定する（ステップＳ１８９）。動き判定部７が撮像装置１に動きがないと判定した場合（ステップＳ１９０：Ｎｏ）、撮像装置１はステップＳ１８４へ戻る。これに対し、動き判定部７が撮像装置１に動きがあると判定した場合（ステップＳ１９０：Ｙｅｓ）、合成画像生成部３２は合成スルー画像Ｔnの表示を中止する（ステップＳ１９１）。その後、撮像装置１は、メインルーチンに戻って図２のステップＳ９へ進む。
【００４７】
なお、本実施の形態２において、画像処理部３は分割画像を生成する必要がない。このため、本実施の形態２では、画像処理部３に対して分割画像生成部３１の機能を具備させなくてもよい。
【００４８】
以上説明した本発明の実施の形態２によれば、表示部４は、撮像部２が露出を行う間、スルー画像記憶部９１に一時的に記憶されているスルー画像を用いることによって各々合成される複数の合成スルー画像Ｔ1、Ｔ2、…、ＴNを所定の順序で表示するため、露出中であることをユーザに対して直感的にわかりやすく認識させることが可能となる。その結果、暗い場所を撮影する場合のように、露出時間が長くて撮像装置１を動かしてしまいやすい状況下においても、撮影の失敗を防止して鮮明な写真を撮影することができるようになる。
【００４９】
（その他の実施の形態）
ここまで、本発明を実施するための最良の形態として、実施の形態１、２を詳述してきたが、本発明は上記２つ実施の形態によってのみ限定されるべきものではない。図１１は、露出状態報知処理における合成画像の別な表示例（第１例）を示す図である。図１１に示す場合、まず表示部４の左上部に図４の分割画像Ｐ1と同じ小画像Ｒ1を表示する。その後、分割画像Ｐ1、Ｐ2、Ｐ4、Ｐ5を合成した中画像Ｒ2を表示する。最後に、最新スルー画像Ｐ0をに対応する大画像Ｒ3を表示する。なお、図１１において、小画像Ｒ1から大画像Ｒ3に至るまで表示面積を連続的に変えていくようにしてもよい。
【００５０】
図１２は、露出状態報知処理における合成画像のさらに別な表示例（第２例）を示す図である。この表示例においては、スルー画像記憶部９１が記憶する１枚のスルー画像Ｓ1に対して画像処理部３が増感処理を施し、この増感処理によって感度が高くなった増感スルー画像（合成画像の例）Ｓ2、Ｓ3を表示部４が順次表示する。なお、この表示例の場合には、露出が不足気味であるスルー画像の信号を増幅することによって増感しているため、画面が明るくなるにつれてノイズＮも徐々に目立ってくる。そこで、図１３に示す第３例のように、時間の経過とともにスルー画像の表示面積を小さくしてノイズＮを目立たせなくする一方、表示部４の空きスペースに露出の残り時間を表示するようにしてもよい。
【図面の簡単な説明】
【００５１】
【図１】本発明の実施の形態１に係る撮像装置の構成を示す図である。
【図２】本発明の実施の形態１に係る撮像装置が撮影モードに設定されている時に行う処理の概要を示すフローチャートである。
【図３】本発明の実施の形態１における露出状態報知処理の詳細を示すフローチャートである。
【図４】分割画像生成処理の概要を示す図である。
【図５−１】１枚の分割画像からなる合成画像の表示例を示す図である。
【図５−２】２枚の分割画像からなる合成画像の表示例を示す図である。
【図５−３】３枚の分割画像からなる合成画像の表示例を示す図である。
【図５−４】４枚の分割画像からなる合成画像の表示例を示す図である。
【図５−５】５枚の分割画像からなる合成画像の表示例を示す図である。
【図５−６】６枚の分割画像からなる合成画像の表示例を示す図である。
【図５−７】７枚の分割画像からなる合成画像の表示例を示す図である。
【図５−８】８枚の分割画像からなる合成画像の表示例を示す図である。
【図５−９】９枚の分割画像からなる合成画像の表示例を示す図である。
【図６】露出状態報知処理における合成画像の表示内容の時間的な変化を示す図である。
【図７】乱れ画像の表示例を示す図である。
【図８】乱れ画像の別な表示例を示す図である。
【図９】本発明の実施の形態２における露出状態報知処理の詳細を示すフローチャートである。
【図１０】露出状態報知処理における合成スルー画像の表示内容の時間的な変化を示す図である。
【図１１】露出状態報知処理における合成画像の別な表示例（第１例）を示す図である。
【図１２】露出状態報知処理における合成画像の別な表示例（第２例）を示す図である。
【図１３】露出状態報知処理における合成画像の別な表示例（第３例）を示す図である。
【符号の説明】
【００５２】
１  撮像装置
２  撮像部
３  画像処理部
４  表示部
５  入力部
６  センサ部
７  動き判定部
８  時計
９  記憶部
１０  制御部
１１  レンズ駆動部
１２  絞り駆動部
１３  シャッタ駆動部
２１  撮影レンズ
２２  絞り
２３  シャッタ
２４  撮像素子
２５  信号処理部
３１  分割画像生成部
３２  合成画像生成部
９１  スルー画像記憶部
９２  撮影画像記憶部
９３  プログラム記憶部
１０１  露出制御部
１０２  表示制御部
Ｐ0  最新スルー画像
Ｐ1〜Ｐ9、Ｐn  分割画像
Ｑ1〜Ｑ9、Ｑn  合成画像
Ｑ7'、Ｑn'  乱れ画像
Ｑ7''  第２の乱れ画像
Ｒ1  小画像
Ｒ2  中画像
Ｒ3  大画像
Ｓ1  スルー画像
Ｓ2、Ｓ3  増感スルー画像
Ｔ1〜Ｔ3、Ｔn  合成スルー画像
【図１】
2010154101.tif 000003
【図２】
2010154101.tif 000004
【図３】
2010154101.tif 000005
【図４】
2010154101.tif 000006
【図５−１】
2010154101.tif 000007
【図５−２】
2010154101.tif 000008
【図５−３】
2010154101.tif 000009
【図５−４】
2010154101.tif 000010
【図５−５】
2010154101.tif 000011
【図５−６】
2010154101.tif 000012
【図５−７】
2010154101.tif 000013
【図５−８】
2010154101.tif 000014
【図５−９】
2010154101.tif 000015
【図６】
2010154101.tif 000016
【図７】
2010154101.tif 000017
【図８】
2010154101.tif 000018
【図９】
2010154101.tif 000019
【図１０】
2010154101.tif 000020
【図１１】
2010154101.tif 000021
【図１２】
2010154101.tif 000022
【図１３】
2010154101.tif 000023